(57)【要約】【課題】  戸車１６ｂを設置する為の透孔４７から入り込んだ雨水が、室内側に入り込む事を防止する。【解決手段】  突き合わせ框９ｂに、戸車の高さ調節の為にドライバを挿通する第一、第二両通孔５２、５３を形成する。これら両通孔５２、５３同士の間に、ゴムの薄板５９、５９を設けて、第一通孔５２から空間７０内に入り込んだ雨水が、上記第二通孔５３に迄達する事を阻止する。上記薄板５９、５９にスリットを形成して、上記ドライバによる、調節ねじ５０の操作を自在とする。【選択図】  図２０
2005232871.tif 000002
【特許請求の範囲】
【請求項１】
下枠上に水平移動自在に建て込まれた引戸障子の縦辺を構成する竪框の下端部と、同じく下辺を構成する下框の端部との接合部に入り込んだ水を、この竪框の下端開口から排出する為の排水装置であって、上記竪框は、上記引戸障子の移動方向に離隔した状態でそれぞれが上下方向に設けられた第一、第二両板部を備えた押し出し型材製であり、上記下框は、押し出し型材製で、上記第一板部の下端部内側面にその一端面を突き当てた状態で上記竪框に対し結合固定されており、上記下框を構成する水平方向板部に形成された透孔部分に、戸車を回転自在に、且つ、調節ねじの回転に基づいて上下位置調節自在に支持した戸車用フレームが固定されており、上記第一、第二両板部の一部で上記調節ねじに整合する位置に、それぞれがこの調節ねじを回転させる工具を挿通する為の、第一、第二両通孔が形成されており、上記竪框の下端部に、この竪框の下端開口部を塞ぐブラケットが支持されており、このブラケットの上面で上記第一、第二両通孔を直線で結ぶ位置の途中に遮断壁部を形成すると共に、この遮断壁部のうちでこれら第一、第二両通孔に整合する部分に第三通孔を形成しており、この第三通孔によるこれら第一、第二両通孔同士の連通は、上記工具を挿通する際にのみ開く塞ぎ板により遮断されており、上記ブラケットの上下方向に、このブラケットの上面に流下した水分を上記竪框の下端開口から排出する為の排水路を設けている引戸障子用排水装置。
【請求項２】
ブラケットは、竪框の外側面側が開口した中空箱状に形成された受ブラケットであり、下枠の上面に引戸障子の移動方向に亙って設けられた凹部の上端開口部のうちでこの引戸障子により覆われない部分を覆う、帯状で可撓性を有するカバー帯の一端部に結合された、係止部を有する係止側ブラケットが、上記受ブラケットの内側に入り込んだ状態でこの受ブラケットと係合する事で、上記カバー帯の一端部を上記竪框の下端部に結合しており、上記竪框の内部で上記受ブラケットよりも上側部分に入り込んだ水分が上記カバー帯の上面に流下する事を防止する、請求項１に記載した引戸障子用排水装置。
【請求項３】
下辺を構成する下框に複数の戸車を、横軸を中心とする回転自在に支持した引戸障子と、これら各戸車の外周面に全周に亙って形成した凹溝とを係合する事でこの引戸障子の水平移動を案内する下部案内レールをその上面に形成した下枠を含む窓枠とを備えた引戸装置に於いて、この下部案内レールは、この下枠の上面に上記引戸障子の移動方向に亙って存在する凹部の底面から上方に突出した状態で設けられ、その上端縁がこの下枠の上面のうちでこの凹部の両側に存在する部分よりも上方には突出しないものであり、上記引戸障子の縦辺を構成する竪框の下端部と上記窓枠の端部との間に設けたカバー帯をこの引戸障子の移動に伴って移動させる事により、上記凹部の上端開口部で上記引戸障子により覆われていない部分を覆う様に構成しており、上記カバー帯は、可撓性及び押し付け力により移動可能な程度の剛性を有する弾性材製であり、このカバー帯の一端が上記竪框の下端部に、請求項２に記載した引戸障子用排水装置を構成する係止側ブラケットと受ブラケットとにより結合されると共に、上記カバー帯の中間部が、互いに直角に結合された下枠と竪枠との連続部に固定されたガイド部材の内部に設けられたガイド通路に案内されて、移動方向を水平方向から垂直方向に９０度変更されており、垂直方向に移動する上記カバー帯の一部は、上記竪枠内に存在している引戸装置。
【発明の詳細な説明】
【技術分野】
【０００１】
この発明は、バリアフリーサッシと呼ばれる、下枠の上面を平坦にした窓枠に引戸障子を建て込んで成る引戸装置の改良に関する。
【背景技術】
【０００２】
高齢者や身体障害者の移動の容易性を確保する為に、バリアフリーサッシと呼ばれる、下枠の上面を平坦にした窓枠の構造が、例えば特許文献１〜４に記載される等により、従来から各種知られている。これら各特許文献に記載された構造は、何れも、引戸障子の下框に設置した戸車の外周面が単なる円筒面で、上記下枠の上面でこの戸車の外周面が転がり接触する部分が平坦面となっている。
【０００３】
この様な従来構造の場合、戸車として、従来一般的に使用されていたものとは異なる、特殊なものを使用する為、今後広く普及しない限り、コストが嵩む可能性がある。特に現状では、故障した戸車を修理・交換する際に、戸車の取り寄せに要する手間やコストが、一般的な、外周面に全周に亙って凹溝を形成したものに比べて嵩む可能性がある。又、戸車と下枠との係合部で、引戸障子の屋内外方向に関する位置決めを図れない為、別途この引戸障子の屋内外方向に関する位置決めを図る為の構造が必要になる。
【０００４】
この様な事情を考慮した場合、下枠として上面に下部案内レールを備えたものを使用すると共に、この下部案内レールの上端縁を、この下枠の上面のうちで人や物が移動する部分よりも下方に位置させる構造を採用する事が有利である。この場合、下枠の上面に凹部を、引戸障子の移動方向に亙って設け、上記下部案内レールを、この凹部の底面から上方に突出する状態で設ける。従って上記下枠の上面には、この凹部の開口部が存在し、この開口部の中央部に上記下部案内レールの上端縁が存在する状態となる。
【０００５】
上記凹部及び下部案内レールは、上記下枠の全長に亙って設けるのに対し、上記引戸障子の長さ（幅）はこの下枠の全長よりも短い。この為、上記凹部の開口部及び下部案内レールの上端縁の長さ方向の一部は、上記引戸障子により覆われる事なく露出する。この為、当該部分の体裁が悪くなるだけでなく、異物が上記凹部内に落下した場合に、この異物を取り出しにくくなる。即ち、上記凹部の開口部のほぼ中間部に上記下部案内レールの上端縁が存在する為、この開口部は幅方向に２分割されて狭くなる。この結果、上記凹部内にピン等の異物が落下した場合に、この異物を取り出しにくくなる。
【０００６】
特許文献５には、昇降式のシャッタの両側縁部を案内する為の昇降案内溝の一部でシャッタパネルを巻き上げた場合にこのシャッタパネルの下方に露出する部分を、帯状封止材により覆う構造が記載されている。但し、この様な特許文献５に記載された構造は、鉛直方向に存在する溝の開口部を覆う事のみを意図していて、引戸装置の下枠の上面に存在する溝部の上端開口を覆う事を意図しているものではない。又、帯状封止材を巻き取り機構により巻き取る等、構造が複雑で、設置スペースが限られた引戸装置に適用する事は難しい。
【０００７】
上述の様な事情を考慮した場合、下枠として上面に下部案内レールを備えたものを使用すると共に、この下枠上面の凹部内に設けられた下部案内レールの上端縁を、この下枠の上面のうちで人や物が移動する部分よりも下方に位置させ、上記凹部を、引戸障子の移動に伴ってカバー帯により塞ぐ構造を採用する事が考えられる。この場合に、このカバー帯の一端を上記引戸障子の縦辺を構成する竪框の下端部に結合し、このカバー帯の中間部乃至他端部を、窓枠の縦辺を構成する竪枠内に出し入れする事が考えられる。ところが、この様な構造を採用した場合、上記カバー帯の一端部を竪框の下端部に結合する構造に起因して、降雨時に上記引戸障子の屋外側面に風が吹き付けた場合、室内側に雨水が吹き出す可能性がある事が、本発明者等の研究により分かった。
【０００８】
【特許文献１】実公昭５５−１９８１４号公報
【特許文献２】特開２０００−９６９３４号公報
【特許文献３】特許第３２３３９２０号公報
【特許文献４】特許第３２３３９２１号公報
【特許文献５】特開平５−３４０１７３号公報
【発明の開示】
【発明が解決しようとする課題】
【０００９】
本発明は、上述の様な事情に鑑みて、下枠として上面に下部案内レールを備えたものを使用すると共に、この下部案内レールの上端縁を、この下枠の上面のうちで人や物が移動する部分よりも下方に位置させた構造で、下枠上面の体裁を良好にし、且つ、凹部内への異物の落下を防止できる構造を前提として、室内側への雨水の吹き出しを防止できる構造を実現すべく発明したものである。
【課題を解決するための手段】
【００１０】
本発明の引戸障子用排水装置及び引戸装置のうち、請求項１に記載した引戸障子用排水装置は、下枠上に水平移動自在に建て込まれた引戸障子の縦辺を構成する竪框の下端部と、同じく下辺を構成する下框の端部との接合部に入り込んだ水を、この竪框の下端開口から排出する為のものである。
この様な請求項１に記載した排水装置では、上記竪框は、上記引戸障子の移動方向に離隔した状態でそれぞれが上下方向に設けられた第一、第二両板部を備えた押し出し型材製である。
又、上記下框は、押し出し型材製で、上記第一板部の下端部内側面にその一端面を突き当てた状態で上記竪框に対し結合固定されている。
又、上記下框を構成する水平方向板部に形成された透孔部分に、戸車用フレームが固定されている。この戸車用フレームは、戸車を回転自在に、且つ、調節ねじの回転に基づいて上下位置調節自在に支持している。
又、上記第一、第二両板部の一部で上記調節ねじに整合する位置に、それぞれがこの調節ねじを回転させる工具を挿通する為の、第一、第二両通孔が形成されている。
又、上記竪框の下端部に、この竪框の下端開口部を塞ぐブラケットが支持されており、このブラケットの上面で上記第一、第二両通孔を直線で結ぶ位置の途中に遮断壁部を形成すると共に、この遮断壁部のうちでこれら第一、第二両通孔に整合する部分に第三通孔を形成している。
この第三通孔によるこれら第一、第二両通孔同士の連通は、上記工具を挿通する際にのみ開く塞ぎ板により遮断されている。この為に、例えば、上記第三通孔に隣接する部分に、直径方向にスリットを設けた、ゴム等のエラストマー製の薄板である塞ぎ板を設けたり、上記第三通孔部分に、上記工具の挿入に伴って押し開かれる、リード弁状の塞ぎ板を設ける。
更に、上記ブラケットの上下方向に、このブラケットの上面に流下した水分を上記竪框の下端開口から排出する為の排水路を設けている。
【発明の効果】
【００１１】
上述の様に構成する本発明の引戸障子用排水装置によれば、降雨時に引戸障子の屋外側面に風が吹き付けた場合でも、室内側への雨水の吹き出しを防止できる。
即ち、降雨時に引戸障子の屋外側面に風が吹き付けると、戸車用フレームを設置した透孔を通じて雨水が、下框を構成する水平方向板部の上側に入り込む。そして、この雨水は、第一板部に形成した第一通孔を通じて、この第一板部と第二板部との間の空間内に入り込み、風に乗ってこの第二板部に形成した第二通孔に向かう傾向になる。但し、この第二通孔と上記第一通孔との間に存在する第三通孔が塞ぎ板により塞がれているので、上記雨水は、この塞ぎ板及び遮断壁部に当たってから下方に流下し、排水路を通じて竪框の下端開口から排出される。  この結果、上記第一通孔を通じて上記空間内に入り込んだ雨水が、上記第二通孔を通じて室内側に吹き出す事がなくなる。
【発明を実施するための最良の形態】
【００１２】
本発明の引戸障子用排水装置を実施する場合に好ましくは、請求項２に記載した様に、ブラケットを、竪框の外側面側が開口した中空箱状に形成された受ブラケットとする。
又、下枠の上面に引戸障子の移動方向に亙って設けられた凹部の上端開口部のうちでこの引戸障子により覆われない部分を覆う、帯状で可撓性を有するカバー帯の一端部に、係止部を有する係止側ブラケットを結合する。
そして、この係止側ブラケットを、上記受ブラケットの内側に入り込んだ状態でこの受ブラケットと係合させて、上記カバー帯の一端部を上記竪框の下端部に結合する。
この構成により、上記竪框の内部で上記受ブラケットよりも上側部分に入り込んだ水分が上記カバー帯の上面に流下する事を防止する。
そして、上記カバー帯の一端部を上記竪框の下端部に結合する構造で、降雨時に引戸障子の屋外側面に風が吹き付けても、室内側に雨水が入り込むのを防止する。
【００１３】
又、本発明の引戸障子用排水装置を実施するのに好ましい引戸装置は、請求項３に記載した様に、下辺を構成する下框に複数の戸車を、横軸を中心とする回転自在に支持した引戸障子と、これら各戸車の外周面に全周に亙って形成した凹溝とを係合する事でこの引戸障子の水平移動を案内する下部案内レールをその上面に形成した下枠を含む窓枠とを備える。
特に、上記下部案内レールは、この下枠の上面に上記引戸障子の移動方向に亙って存在する凹部の底面から上方に突出した状態で設けられ、その上端縁がこの下枠の上面のうちでこの凹部の両側に存在する部分よりも上方には突出しないものである。
又、上記引戸障子の縦辺を構成する竪框の下端部と上記窓枠の端部との間に設けたカバー帯をこの引戸障子の移動に伴って移動させる事により、上記凹部の上端開口部で上記引戸障子により覆われていない部分を覆う様に構成する。
又、上記カバー帯は、可撓性及び押し付け力により移動可能な程度の剛性を有する弾性材製とする。
そして、このカバー帯の一端を上記竪框の下端部に、前述した請求項２に記載した引戸障子用排水装置を構成する係止側ブラケットと受ブラケットとにより結合すると共に、上記カバー帯の中間部を、互いに直角に結合された下枠と竪枠との連続部に固定されたガイド部材の内部に設けられたガイド通路に案内して、移動方向を水平方向から垂直方向に９０度変更する。そして、垂直方向に移動する上記カバー帯の一部を、上記竪枠内に存在させる。
【００１４】
上述の様に構成する引戸装置の場合、下枠として上面に下部案内レールを備えたものを使用する為、引戸障子の下框に設ける戸車として、外周面に全周に亙って凹溝を形成したものを使用できる。この為、戸車自体のコストを低く抑えられる他、戸車と下部案内レールとの係合部で、引戸障子の屋内外方向に関する位置決めを図れる。従って、別途この引戸障子の屋内外方向に関する位置決めを図る為の構造を設ける必要がなく、この面からもコスト低減を図れる。
又、上記下部案内レールの上端縁を、この下枠の上面のうちで人や物が移動する部分よりも下方に位置させているので、下枠の上面を実質的に平坦にして、この人や物の移動を容易に行なえる様にできる。
又、上記下部案内レールの上端縁を上方に突出させない様にする為に上記下枠の上面に設けた凹部の上端開口部で上記引戸障子により覆われていない部分を、カバー帯により覆う為、上記下枠上面の体裁を良好にし、且つ、凹部内への異物の落下を防止できる。
【実施例】
【００１５】
図１〜２２は、本発明の実施例を示している。本実施例は、本発明を、掃き出し窓として一般的な、引違戸に適用した場合に就いて示している。この為に本実施例の場合には、窓枠１の内側に、それぞれが特許請求の範囲に記載した引戸障子である１対のガラス障子２ａ、２ｂを、引き違い式に建て込んでいる。このうちの窓枠１は、上辺を構成する上枠３と、下辺を構成する下枠４と、左右の縦辺を構成する竪枠５ａ、５ｂとにより、矩形に構成している。これら各枠３、４、５ａ、５ｂは、それぞれアルミニウム合金の一体押し出し成形材製である。又、上記各ガラス障子２ａ、２ｂは、それぞれの上辺を構成する上框６ａ、６ｂと、同じく下辺を構成する下框７ａ、７ｂと、左右の縦辺を構成する竪框である、召し合わせ框８ａ、８ｂ及び突き合わせ框９ａ、９ｂとにより、ガラスパネル１０ａ、１０ｂの四辺を囲んで成る。これら各框６ａ、６ｂ、７ａ、７ｂ、８ａ、８ｂ、９ａ、９ｂも、アルミニウム合金の一体押し出し成形材製である。このうちの召し合わせ框８ａ、８ｂは、上記掃き出し窓の閉鎖時に上記窓枠１の中央に位置して、屋内外方向に亙り互いに対向する。これに対して上記各突き合わせ框９ａ、９ｂは、上記掃き出し窓の閉鎖時に上記窓枠１の端部に位置して、上記各竪枠５ａ、５ｂに突き合わされる。
【００１６】
上記各ガラス障子２ａ、２ｂは上記窓枠１の内側に、一般的に知られている引違戸と同様の構造により、水平移動自在に建て込まれている。この為に、上記上枠３の下面に１対の上部案内レール１１ａ、１１ｂを、屋内外方向に離隔した状態で設けている。そして、上記各召し合わせ框８ａ、８ｂ及び突き合わせ框９ａ、９ｂの上端部に支持したガイドブロック１２ａ、１２ｂに形成したガイド溝１３ａ、１３ｂに上記各上部案内レール１１ａ、１１ｂを係合させている。この構成により、上記各ガラス障子２ａ、２ｂの上端部を上記上枠３に沿う水平移動自在に支持している。
【００１７】
これに対して、上記下枠４に１対の下部案内レール１４ａ、１４ｂを、屋内外方向に離隔した状態で設けている。但し、本実施例の場合、一般的な引違戸を構成する下枠とは異なり、上記各下部案内レール１４ａ、１４ｂを、上記下枠４の上面にこの下枠４の全長に亙って設けた１対の凹部１５ａ、１５ｂの底面から、上方に突出した状態で設けている。又、上記各下部案内レール１４ａ、１４ｂの高さ寸法は上記各凹部１５ａ、１５ｂの深さ寸法よりも小さくして、これら各下部案内レール１４ａ、１４ｂの上端縁が、上記下枠４の上面のうちで上記各凹部１５ａ、１５ｂの両側に存在する部分よりも下方に位置する様にしている。この構成により、上記各下部案内レール１４ａ、１４ｂの存在に拘らず、上記下枠４の上面を幅の狭い上記各凹部１５ａ、１５ｂの上端開口部を除き、実質的に平坦にして、高齢者や障害者、更には車椅子等の移動を容易に行なえる様にしている。
【００１８】
この様な構成を有する上記下枠４に沿う移動を可能にする為に、上記各ガラス障子２ａ、２ｂの下辺を構成する前記下框７ａ、７ｂの両端部近傍部分に戸車１６ａ、１６ｂを、屋内外方向に設けられた横軸を中心とする回転自在に支持している。これら各戸車１６ａ、１６ｂは、従来から一般的な引違戸に使用されていた戸車と同様のもので、外周面中央部に凹溝１７ａ、１７ｂを、全周に亙り形成している。この様な凹溝１７ａ、１７ｂを設けた上記各戸車１６ａ、１６ｂをそれぞれ１対ずつ支持した上記各下框７ａ、７ｂは、上記下部案内レール１４ａ、１４ｂと上記各凹溝１７ａ、１７ａとを係合させる事で、上記下枠４の上方位置に、この下枠４に沿った水平移動を自在に支持している。
以上の構成により、上記各ガラス障子２ａ、２ｂを上記窓枠１の内側に、水平移動自在に建て込んでいる。
【００１９】
又、図示の例では、上記下枠４の屋外側端部（図５、６の左端部）上面に形成した屋外端突条１８と、上記１対の凹部１５ａ、１５ｂ同士を仕切る中央突条１９との屋外側面（図５、６の右側面）に、それぞれブラケット２０ａ、２０ｂを係止している。上記各下部案内レール１４ａ、１４ｂのうち、屋外側の下部案内レール１４ａの上半部は、屋外側のブラケット２０ａと上記中央突条１９との間に存在する。そして、上記屋外側の戸車１６ａの一部は、これらブラケット２０ａと中央突条１９との上半部同士の間に入り込んでいる。これに対して、屋内側の下部案内レール１４ｂの上半部は、屋内側のブラケット２０ｂと、上記下枠４の屋内側端部（図５、６の右端部）上面に形成した屋内端突条２１との間に存在する。そして、上記屋内側の戸車１６ｂの一部は、これら屋内側のブラケット２０ｂと屋内端突条２１との上半部同士の間に入り込んでいる。
【００２０】
又、前記各下框７ａ、７ｂの屋内側壁２２ａ、２２ｂの下端部を下方に延長する事で、それぞれ垂下壁部２３ａ、２３ｂを形成している。そして、前記屋外側のガラス障子２ａに関する垂下壁部２３ａの上下方向中間部乃至下端部を、上記屋外側の下部案内レール１４ａの上半部屋内側面と、上記中央突条１９の上半部屋外側面との間に進入させている。これに対して、前記屋内側のガラス障子２ｂに関する垂下壁部２３ｂの上下方向中間部乃至下端部を、上記屋内側の下部案内レール１４ｂの上半部屋内側面と、上記屋内端突条２１の上半部屋外側面との間に進入させている。
【００２１】
上述の様に、前記各戸車１６ａ、１６ｂの下端部と上記各垂下壁部２３ａ、２３ｂの上下方向中間部乃至下端部とを進入させた、上記各凹部１５ａ、１５ｂの上端開口部で上記各ガラス障子２ａ、２ｂの下框７ａ、７ｂにより覆われない部分は、次述するカバー帯２４ａ〜２４ｄにより覆う様にしている。上記各凹部１５ａ、１５ｂの内側面上端部には、これら各カバー帯２４ａ〜２４ｄの両側端縁を案内する為のガイド溝２５ａ、２５ｂを、互いに対向する状態で設けている。
【００２２】
上記各ガイド溝２５ａ、２５ｂは、それぞれガイド部材２６ａ、２６ｂにより構成している。このうち、各凹部１５ａ、１５ｂ毎に屋内側となる、上記中央突条１９の上端部屋外側面と上記屋内端突条２１の上端部屋外側面とに係止したガイド部材２６ａは、上端部屋外側面に設けられた上記ガイド溝２５ａと、中間部屋外側面にその基端部を連結したシールリップ２７とを備える。このうちのガイド溝２５ａは、上記各カバー帯２４ａ〜２４ｄの屋内側端縁を案内して、これら各カバー帯２４ａ〜２４ｄの屋内側端縁が、上記各凹部１５ａ、１５ｂの上端開口部から浮き上がる事を防止する。又、上記シールリップ２７の屋外側面の先端寄り部分は、上記各垂下壁部２３ａ、２３ｂの屋内側面に摺接して、上記各下框７ａ、７ｂと前記下枠４との間をシールする。一方、上記各凹部１５ａ、１５ｂ毎に屋外側となる、前記各ブラケット２０ａ、２０ｂの上端部屋内側面に係止したガイド部材２６ｂには、上記ガイド溝２５ｂのみを設け、シールリップは設けていない。
【００２３】
上述の様な両ガイド部材２６ａ、２６ｂは、上記各凹部１５ａ、１５ｂの内側面上端部に、これら各ガイド部材２６ａ、２６ｂのガイド溝２５ａ、２５ｂを同じ高さに位置させて互いに対向させた状態で設けている。そして、これら各ガイド溝２５ａ、２５ｂに、上記各カバー帯２４ａ〜２４ｄの両側端縁を係合させると共に、これら各カバー帯２４ａ〜２４ｄの一端部を前記各ガラス障子２ａ、２ｂの縦辺を構成する召し合わせ框８ａ、８ｂ又は突き合わせ框９ａ、９ｂの下端部に結合している。又、上記各カバー帯２４ａ〜２４ｄの中間部乃至他端部は、前記窓枠１の縦辺を構成する竪枠５ａ、５ｂ内に出入りさせる様にしている。この構成により、この窓枠１の下辺を構成する下枠４の上面に存在する上記各凹部１５ａ、１５ｂの上端開口部で、上記各ガラス障子２ａ、２ｂの下框７ａ、７ｂにより覆われていない部分を、上記各カバー帯２４ａ〜２４ｄにより覆う様にしている。
【００２４】
本実施例の場合、次の(1) 〜(4) に示すカバー帯２４ａ〜２４ｄにより、前記各下部案内レール１４ａ、１４ｂを設置した凹部１５ａ、１５ｂの上端開口の４個所位置を、それぞれ覆う（図２参照）。
(1) 屋外側のガラス障子２ａの突き合わせ框９ａと一方（図２の左方）の竪枠５ａの下端部との間に設け、このガラス障子２ａを解放方向（図２の右方向）に移動させた場合に、屋外側の凹部１５ａの片半部（図２の左半部）の上端開口を覆うカバー帯２４ａ。
(2) 屋外側のガラス障子２ａの召し合わせ框８ａと他方（図２の右方）の竪枠５ｂの下端部との間に設け、このガラス障子２ａを閉鎖方向（図２の左方向）に移動させた場合に、屋外側の凹部１５ａの他半部（図２の右半部）の上端開口を覆うカバー帯２４ｂ。
(3) 屋内側のガラス障子２ｂの突き合わせ框９ｂと他方の竪枠５ｂの下端部との間に設け、このガラス障子２ｂを解放方向（図２の左方向）に移動させた場合に、屋内側の凹部１５ｂの片半部（図２の右半部）の上端開口を覆うカバー帯２４ｃ。
(4) 屋内側のガラス障子２ｂの召し合わせ框８ｂと一方の竪枠５ａの下端部との間に設け、このガラス障子２ｂを閉鎖方向（図２の右方向）に移動させた場合に、屋内側の凹部１５ｂの他半部（図２の左半部）の上端開口を覆うカバー帯２４ｄ。
【００２５】
この様な各カバー帯２４ａ〜２４ｄは、それぞれ金属製の巻き尺を構成する金属板の如きステンレス鋼板、或は合成樹脂を一体押し出し成形する事により造られた長尺材等、可撓性及び押し付け力により移動可能な程度の剛性を有する弾性材製である。本実施例の場合には、上記各カバー帯２４ａ〜２４ｄとして、自由状態での断面形状が円弧形となるものを使用して、これら各カバー帯２４ａ〜２４ｄの肉厚を小さく抑えつつ、上記剛性の確保を図っている。尚、これら各カバー帯２４ａ〜２４ｄの湾曲方向は、上記各凹部１５ａ、１５ｂの上端開口を覆った状態で、それぞれの上面が凸曲面となる方向としている。この理由は、上記各カバー帯２４ａ〜２４ｄと前記各下部案内レール１４ａ、１４ｂの上端縁との干渉を防止しつつ、これら各下部案内レール１４ａ、１４ｂの高さ寸法を確保する為である。
【００２６】
この様な上記各カバー帯２４ａ〜２４ｄの一端部は、それぞれ上記各ガラス障子２ａ、２ｂの召し合わせ框８ａ、８ｂ又は突き合わせ框９ａ、９ｂの下端部に結合し、これら各ガラス障子２ａ、２ｂの移動に伴って押し引きされる様にしている。本実施例の場合、上記各カバー帯２４ａ〜２４ｄの一端部を上記各框８ａ、８ｂ、９ａ、９ｂの下端部に、図７〜８に示す様な構造により結合している。この図７〜８は、図２の右下部のカバー帯２４ｃの一端部と、同位置の突き合わせ框９ｂの下端部とを結合部の構造に就いて示している。図２の左上のカバー帯２４ａの一端部と、同位置の突き合わせ框９ａの下端部とを結合部の構造に就いても、左右勝手が逆になる以外、同様に構成できる。又、残りの各カバー帯２４ｂ、２４ｄの一端部と上記各召し合わせ框８ａ、８ｂの下端部との結合部の構造に就いても、ほぼ同様に構成できる。但し、これら各召し合わせ框８ａ、８ｂの下端部に関しては、必要に応じて、これら各召し合わせ框８ａ、８ｂの外側面に受側ブラケットを固定し、この受側ブラケットを介して、上記各カバー帯２４ｂ、２４ｄの一端部と上記各召し合わせ框８ａ、８ｂの下端部とを結合する。
【００２７】
本実施例の場合、上記カバー帯２４ｃの一端部上面に、図９〜１１に詳示する様な係止側ブラケット２８の基端部を結合固定している。この係止側ブラケット２８は、下半部に取付基部２９を、上半部に係止部３０を、それぞれ設けて成る。このうちの取付基部２９は、取付板部３１の上面に脚部３２を設けて成る。又、上記係止部３０は、この脚部３２の上端から連続する状態で形成されたもので、幅寸法を弾性的に収縮自在である。この様な係止部３０は、上記突き合わせ框９ｂの下端部に内嵌固定した、図７、８、１２〜１７に示す様な中空箱状の受ブラケット３３に形成した係止切り欠き部３４との係合に基づき、上記カバー帯２４ｃの一端部と上記突き合わせ框９ｂの下端部とを結合する。従って、上記係止部３０の自由状態での幅Ｗ30は、上記係止切り欠き部３４の幅Ｗ34よりも大きく（Ｗ30＞Ｗ34）している。尚、上記係止切り欠き部３４に上記係止部３０を挿入できる様にすべく、上記突き合わせ框９ｂの下端部外側壁でこの係止切り欠き部３４に整合する部分に、この係止切り欠き部３４以上の大きさを有する切り欠きを形成している。
【００２８】
上記係止側ブラケット２８は、ポリアミドの如き合成樹脂等の弾性材を射出成形する事により一体に造られたもので、上記係止部３０の平面形状は、上記係止切り欠き部３４への挿入方向前側（図７〜１０の左側）程幅が狭くなる、略Ｖ字形としている。従って上記係止部３０には、上記係止側ブラケット２８を上記受ブラケット３３内に、上記突き合わせ框９ｂの外側面側（竪枠５ｂに対向する面側）から押し込む場合に、上記係止切り欠き部３４の幅方向両側縁との係合により幅寸法を弾性的に縮める方向の力が作用する。これに対して、上記係止部３０を上記受ブラケット３３内に入り込ませた状態では、この係止部３０をこの受ブラケット３３の内側から抜き出す方向の力が作用しても、この係止部３０の幅寸法を縮める方向の力が作用する事はない。
【００２９】
又、上記係止部３０の両端部は、径方向内方にほぼ直角に折れ曲がった、折れ曲がり鉤部３５、３５としている。又、本実施例の場合には、上記両折れ曲がり鉤部３５、３５の内径側端部からそれぞれ摘み部３６、３６を、上記係止部３０の半円弧から離れる方向に延出している。上記係止部３０の幅寸法は、上記両摘み部３６、３６同士の間隔を縮める事で、上記係止切り欠き部３４の幅寸法Ｗ34以下に収縮自在である。
【００３０】
上述の様な係止側ブラケット２８は、図１８に示す様に、上記カバー帯２４ｃの一端部上面に結合金具３７を介して、結合固定している。この結合金具３７は、上記係止側ブラケット２８に先立って、上記カバー帯２４ｃの一端部上面にリベットにより結合固定しておく。この状態では、図１９に示す様に、上記結合金具３７の両端部に設けた１対の抑え部３８、３８同士の間隔は、未だ開いたままの状態としておく。上記カバー帯２４ｃの一端部上面に上記係止側ブラケット２８を結合固定する際には、前記取付板部３１の下面に形成した１対の位置決め凸部を、上記結合金具３７の両端寄り部分に形成した円孔に係合させた状態で、上記図１９に示した状態から上記図１８に示した状態にまで、上記両抑え部３８、３８同士を互いに近づく方向に折り曲げ、これら両抑え部３８、３８により、上記取付板部３１の上面を抑え付ける。この作業により、上記図１８に示した様に、上記カバー帯２４ｃの一端部上面に上記係止側ブラケット２８が結合固定される。
【００３１】
上述の様にその上面に上記係止側ブラケット２８を結合固定した、上記カバー帯２４ｃの一端部を結合すべく、前記突き合わせ框９ｂの下端部に内嵌固定した前記受ブラケット３３は、下方が開口した箱状で、且つ、この突き合わせ框９ｂの外側面側に、上記係止切り欠き部３４を形成している。この係止切り欠き部３４の下端と上記受側ブラケット３３の下端開口とは連続している。この様な係止切り欠き部３４を備えた受ブラケット３３を固定した上記突き合わせ框９ｂの下端部に、上記カバー帯２４ｃの一端部を結合する作業は、次の様にして行なう。
【００３２】
先ず、予め上記カバー帯２４ｃの一端部上面に結合固定した上記係止側ブラケット２８の係止部３０を、上記突き合わせ框９ｂの外側面側から、上記係止切り欠き部３４に対向させる。この状態から、上記カバー帯２４ｃの一端部を上記受ブラケット３３に近づける事で、上記係止部３０をこの受ブラケット３３内に押し込む。この押し込み作業の結果、この係止部３０の外周面と上記係止切り欠き部３４の両側縁との係合に基づいて、この係止部３０の幅寸法が弾性的に縮まり、この係止部３０が上記係止切り欠き部３４を通過する。そして、通過後は、この係止部３０の幅寸法がこの係止切り欠き部３４の幅寸法よりも大きくなるまで弾性的に拡がる。この結果、上記係止部３０の両端部に形成された前記両折れ曲がり鉤部３５、３５と上記受ブラケット３３を構成する側壁部３９の内側面で上記係止切り欠き部３４の両側部分とが係合し、上記係止側ブラケット２８が上記突き合わせ框９ｂの下端部に、不離に結合される。この状態では、この突き合わせ框９ｂを設けたガラス障子２ｂの移動に伴って、上記カバー帯２４ｃの一端部を押し引きする。
【００３３】
上記係止側ブラケット２８を上記突き合わせ框９ｂの下端部から分離する際には、前記両摘み部３６、３６同士の間隔を縮める事により上記係止部３０の幅寸法を、上記係止切り欠き部３４の幅寸法Ｗ34以下に縮める。そして、この状態のまま、上記係止側ブラケット２８と上記突き合わせ框９ｂとを引き離す。本実施例の場合には、上記突き合わせ框９ｂの外側面部分に存在する上下方向に長い空間４０内に取り外し用ブラケット４１を、昇降可能に保持している。この取り外し用ブラケット４１の下端部には、この取り外し用ブラケット４１の下降に伴って上記両摘み部３６、３６と係合し、これら両摘み部３６、３６同士の間隔を縮める傾斜面部を設けている。従って、上記両摘み部３６、３６同士の間隔を縮める作業は、特に工具を必要とせずに、容易に行なえる。尚、この作業を工具により行なう代わりに、上記取り外し用ブラケット４１を省略する事もできる。
【００３４】
又、上記受ブラケット３３をその下端部に内嵌固定した、上記突き合わせ框９ｂは、例えば図２０〜２１に示す様に、前記ガラス障子２ｂの移動方向（図２０〜２１の左右方向）に離隔した状態で、それぞれが上下方向に設けられた第一、第二両板部４２、４３を備える。そして、前記下框７ｂは、このうちの第一板部４２の下端部内側面にその一端面を突き当てた状態で、上記突き合わせ框９ｂに対し結合固定されている。即ち、上記下框７ｂの上下２個所位置に形成したタッピング溝４４、４４（例えば図５、２２参照）に、上記第一板部４２を挿通したタッピングねじ４５を螺合し更に緊締する事で、上記下框７ｂの端部と上記突き合わせ框９ｂの下端部とを結合している。尚、上記第二板部４３の一部で上記各タッピング溝４４、４４に整合する部分には、上記タッピングねじ４５を、その頭部を含めて挿通できるだけの大きさを有する、通孔を形成している。
【００３５】
一方、上記下框７ｂを構成する水平方向板部４６に、矩形の透孔４７を形成している。そして、この透孔４７部分に戸車用フレーム４８を、ねじ４９、４９により支持固定している。この戸車用フレーム４８には、前記戸車１６ｂを回転自在に、且つ、調節ねじ５０の回転に基づいて上下位置調節自在に支持している。高さ位置調節自在な戸車装置に関しては、従来から周知である為、詳しい説明は省略する。又、上記ガラス障子２ｂを前記窓枠１に建て込んだ状態で上記調節ねじ５０を回転自在とすべく、上記第一、第二両板部４２、４３の一部でこの調節ねじ５０の頭部５１に整合する位置に、それぞれ第一、第二両通孔５２、５３を形成している。そして、これら第一、第二両通孔５２、５３に、上記調節ねじ５０を回転させる工具である、ドライバ５４を挿通自在としている。
【００３６】
上記受ブラケット３３の本体部分５５は、上記第一、第二両通孔５２、５３よりも下方に存在するが、この本体部分５５の上面で上記第一板部４２側の端部には、上記第一、第二両通孔５２、５３を直線で結ぶ位置の途中に位置する遮断壁部５６を形成している。又、この遮断壁部５６のうちで上記第一、第二両通孔５２、５３に整合する部分に、第三通孔５７を形成している。即ち、これら第一〜第三各通孔５２、５３、５７は、互いに同心に、且つ、同じ高さ位置に設けている。又、上記遮断壁部５６の左右両側縁と上端縁とには、それぞれ上記第一板部４２と反対側に折れ曲がった周壁部５８を形成している。そして、この周壁部５８の内側に、それぞれが塞ぎ板である、ゴム製の薄板５９、５９を、互いに離隔した状態で設けている。これら各薄板５９、５９の上縁及び左右両側縁は上記周壁部５８の内面に、隙間なく結合支持されている。これに対して、上記各薄板５９、５９の下縁と上記本体部分５５の上面との間には隙間が存在する。又、これら各薄板５９、５９の中央部にはスリット６０を設けている。従って、これら各薄板５９、５９の中央部は、自由状態では塞がれているが、上記ドライバ５４を挿入した状態では、このドライバ５４の通過を許容する為の隙間を生じさせる。尚、シール性を確保する為の部材（ゴム材）に就いては、各図に梨地模様で示した。
【００３７】
又、上記受ブラケット３３のうちで、上記周壁部５８の直下位置部分に、上記本体部分５５の上面と下面とを連通させる排水路６１を設けている。又、この本体部分５５の上面は、この排水路６１の上端開口に向かう程低くなる方向に傾斜した、傾斜面６２としている。更に、上記本体部分５５の下端部外周面に、外向フランジ状のひれ状部６３を形成し、このひれ状部６３の上面に、ゴム板等の水密シートを添着している。上記受ブラケット３３を前記突き合わせ框９ｂの下端部に内嵌固定した状態で、上記ひれ状部６３は、この突き合わせ框９ｂの下端縁の一部に、上記水密シートを介して突き当てられる。更に、上記ひれ状部６３よりも更に下方に、補助垂下壁部６４を設けている。この補助垂下壁部６４は、上記受ブラケット３３を上記突き合わせ框９ｂの下端部に内嵌固定した状態で、前記下框７ｂの下方に設けられた前記垂下壁部２３ｂと連続し、前記シールリップ２７を摺接させる。
【００３８】
尚、本実施例の場合には、前記各突き合わせ框９ａ、９ｂの下端部と前記下框７ａ、７ｂとの結合部を、図２０に示す様に、座板７１により補強している。上記各框７ａ、７ｂ、９ａ、９ｂは鉄系金属に比べて軟らかいアルミニウム合金製であるが、上記座板７１は鉄系金属板製である為、上記結合部の剛性を十分に確保できる。この為、強風時等に前記ガラス障子２ａ、２ｂに加わる外力に拘らず、これらガラス障子２ａ、２ｂが変形しにくくなる。勿論、上記座板７１のうちで、前記第一通孔５２に整合する部分には通孔を形成して、前記調節ねじ５０を回転させる工具である、前記ドライバ５４を挿通自在としてる。
【００３９】
又、前記下枠４の両端部のそれぞれ２個所位置ずつ、合計４個所位置に、それぞれ図２３に示す様なガイドブラケット６５ａ、６５ｂを設けている。これら各ガイドブラケット６５ａ、６５ｂ内には、前記各カバー帯２４ａ〜２４ｄの方向を９０度変更する為のガイド通路が設けられている。このガイド通路は、水平部と鉛直部とを四分の一円弧状の湾曲部により滑らかに連続させて成る。この様なガイド通路を有する上記各ガイドブラケット６５ａ、６５ｂは、それぞれ上記下枠４の両端部上面と前記各竪枠５ａ、５ｂの下端部内側面との間に掛け渡している。この状態で、上記各ガイドブラケット６５ａ、６５ｂのガイド通路の水平部側開口端部は、前記各凹部１５ａ、１５ｂの水平方向端上端部に、同じく鉛直部側開口部は上記各竪枠５ａ、５ｂに設けた収納部６６ａ〜６６ｄの下端開口部に、それぞれ整合している。
【００４０】
図示の例では、上記各ガイドブラケット６５ａ、６５ｂのうち、召し合わせ框８ａ、８ｂに対向するガイドブラケット６５ａは、この召し合わせ框８ａ、８ｂと竪枠５ａ、５ｂとが衝突するのを防止するストッパとしての機能を備える為、上記下枠４の長さ方向の寸法を確保している。これに対して、突き合わせ框９ａ、９ｂに対向するガイドブラケット６５ｂは、この突き合わせ框９ａ、９ｂが上記竪枠５ａ、５ｂに十分に近接できる様にする為、上記下枠４の長さ方向の寸法を小さくしている。内部に設けるガイド通路の形状に就いては、上記各ガイドブラケット６５ａ、６５ｂ同士の間で、基本的な差はない。
【００４１】
又、上記各収納部６６ａ〜６６ｄを設ける為に、上記各竪枠５ａ、５ｂはそれぞれ、図２〜４に示す様に、竪枠本体６７ａ、６７ｂの内側面に、内側ブラケット６８ａ、６８ｂを突き合わせ結合して成る。そして、これら各竪枠本体６７ａ、６７ｂの内側面とこれら各内側ブラケット６８ａ、６８ｂの外側面との間の隙間の一部を、上記各収納部６６ａ〜６６ｄとしている。尚、上記各内側ブラケット６８ａ、６８ｂは、上記各竪枠本体６７ａ、６７ｂの下端部には設けず、この下端部には、上記各ガイドブラケット６５ａ、６５ｂの一部を突き当てている。そして、上記各収納部６６ａ〜６６ｄの下端開口部と、これら各ガイドブラケット６５ａ、６５ｂのガイド通路の鉛直部側（上端）開口部とは、互いに突き合わせ、上記各収納部６６ａ〜６６ｄと上記ガイド通路とを連続させている。この構成により、これら各収納部６６ａ〜６６ｄとガイド通路との間で、前記各カバー帯２４ａ〜２４ｄを受け渡し自在としている。本実施例の場合には、上記各収納部６６ａ〜６６ｄの内面のうちで上記各カバー帯２４ａ〜２４ｄと摺接する部分を、合成樹脂製のライナ部材６９、６９により覆って、上記各収納部６６ａ〜６６ｄ内での上記各カバー帯２４ａ〜２４ｄの移動に対する摩擦抵抗の低減を図っている。
【００４２】
又、本実施例の場合には、前記各ガイド部材２６ａ、２６ｂに形成した前記各ガイド溝２５ａ、２５ｂの水平方向端部と、上記各ガイドブラケット６５ａ、６５ｂのガイド通路の水平部側開口端部とを、互いに突き合わせ、上記各ガイド溝２５ａ、２５ｂと上記ガイド通路とを連続させている。この構成により、これら各ガイド溝２５ａ、２５ｂとガイド通路との間で、上記各カバー帯２４ａ〜２４ｄを受け渡し自在としている。
【００４３】
上述の様に構成する本実施例の場合、前記各ガラス障子２ａ、２ｂを移動させれば、当該ガラス障子２ａ、２ｂの召し合わせ框８ａ、８ｂ及び突き合わせ框９ａ、９ｂと前記各竪枠５ａ、５ｂとの間で上記各カバー帯２４ａ〜２４ｄの受け渡しが行なわれる。そして、前記各凹部１５ａ、１５ｂの一部で、上記各ガラス障子２ａ、２ｂの下框７ａ、７ｂにより覆われない部分を、上記各カバー帯２４ａ〜２４ｄにより覆う。即ち、上記各ガラス障子２ａ、２ｂの移動に伴って、上記各框８ａ、８ｂ、９ａ、９ｂが、対向する竪枠５ａ、５ｂから離れると、当該竪框８ａ、８ｂ、９ａ、９ｂの下端部に結合された上記各カバー帯２４ａ〜２４ｄが、当該竪枠５ａ、５ｂの収納部６６ａ〜６６ｄから、前記ガイドブラケット６５ａ、６５ｂに設けたガイド通路部分で方向を９０度変更されつつ、引き出される。そして、これら各カバー帯２４ａ〜２４ｄが、上記各竪框８ａ、８ｂ、９ａ、９ｂの下端部と上記各竪枠５ａ、５ｂの下端部との間に掛け渡された状態で、上記各凹部１５ａ、１５ｂの上端開口で、上記各竪框８ａ、８ｂ、９ａ、９ｂの下端部と上記各竪枠５ａ、５ｂの下端部との間に露出した部分を覆う。この状態では、この下枠４の上面のうちで上記各竪框８ａ、８ｂ、９ａ、９ｂの下端部と上記各竪枠５ａ、５ｂの下端部との間部分の体裁を良好にし、且つ、この間部分で、上記各凹部１５ａ、１５ｂ内に異物が落下する事を防止できる。
【００４４】
又、本実施例の場合には、上記各収納部６６ａ〜６６ｄから引き出されて上記各凹部１５ａ、１５ｂの一部を覆った、上記各カバー帯２４ａ〜２４ｄの両側端縁が、上記各ガイド溝２５ａ、２５ｂに係止された状態となる。この為、これら各カバー帯２４ａ〜２４ｄの両側端縁が上記各凹部１５ａ、１５ｂの開口縁部から浮き上がる事を確実に防止できる。この結果、これら各凹部１５ａ、１５ｂ内に細かい異物が入り込んだり、上記各カバー帯２４ａ〜２４ｄに何らかの物が引っ掛かる事を有効に防止できる。
【００４５】
一方、上記各ガラス障子２ａ、２ｂの移動に伴って、上記各框８ａ、８ｂ、９ａ、９ｂが対向する竪枠５ａ、５ｂに近づくと、当該竪框８ａ、８ｂ、９ａ、９ｂの下端部に結合された上記各カバー帯２４ａ〜２４ｄが、当該竪枠５ａ、５ｂの収納部６６ａ〜６６ｄ内に、前記ガイドブラケット６５ａ、６５ｂに設けたガイド通路部分で方向を９０度変更されつつ、押し込まれる。上記各カバー帯２４ａ〜２４ｄは、金属製の巻き尺の如き性状で、押し付け方向に対し或る程度の剛性を有するので、上記各ガラス障子２ａ、２ｂの移動に伴って、上記各収納部６６ａ〜６６ｄ内に確実に押し込まれる。
【００４６】
又、本実施例の場合には、降雨時にガラス障子２ｂ（２ａの場合も同様）の屋外側面に風が吹き付けた場合でも、室内側への雨水の吹き出しを防止できる。即ち、降雨時に上記ガラス障子２ｂの屋外側面に風が吹き付けると、前記戸車用フレーム４８を設置した前記透孔４７を通じて雨水が、前記下框７ｂを構成する前記水平方向板部４６の上側に入り込む。そして、この雨水は、前記突き合わせ框９ｂの前記第一板部４２に形成した前記第一通孔５２を通じて、この第一板部４２と前記第二板部４３との間の空間７０内に入り込む。何らの対策も施さない場合には、この様にして空間７０内に入り込んだ雨水は、前記上框６ｂと上記突き合わせ框９ｂとの結合部の隙間等、他の部分から上記空間７０内に入り込んだ雨水と共に、風に乗って上記第二板部４３に形成した前記第二通孔５３に向かい、この第二通孔５３から上記突き合わせ框９ｂ外に吹き出す。図２１から明らかな通り、この第二通孔５３からこの突き合わせ框９ｂ外に吹き出した雨水は、シール材等に遮られる事なく、室内側に達し、カーテンや床面を濡らす事になる。
【００４７】
これに対して本実施例の場合には、上記第一通孔５２と上記第二通孔５３との間に存在する第三通孔５７が薄板５９、５９により塞がれているので、上記第一通孔５２から上記空間７０内に入り込んだ雨水は、これら両薄板５９、５９（実際には上流側の薄板５９、下流側の薄板５９は補助的役目）及び前記遮断壁部５６に当たってから下方に流下し、前記排水路６１を通じて上記突き合わせ框９ｂの下端開口から排出される。この結果、上記第一通孔５２を通じて上記空間７０内に入り込んだ雨水が、上記第二通孔５３を通じて室内側に吹き出す事がなくなる。又、上記他の部分から上記空間７０内に入り込んだ雨水も、前記傾斜面６２に案内されて上記排水路６１に達し、上記下端開口から排出される。
この様にして、上記透孔４７から入り込んだ雨水が室内側に迄吹き出す事を防止した場合でも、前記ドライバ５４による前記戸車１６ｂの高さ位置調節は、上記両薄板５９、５９のスリット６０を押し開きつつ、上記ドライバ５４を挿入する事により、容易に行なえる。
【産業上の利用可能性】
【００４８】
図示の実施例は、本発明を引違戸に適用した場合に就いて説明した。これに対して本発明は、図示の様な引違戸に限らず、障子を水平方向に移動して開口部の開閉を行なう引戸装置であれば実施できる。例えば、引戸障子を１枚のみ設けた引戸でも、本発明を実施する事はできる。
【図面の簡単な説明】
【００４９】
【図１】本発明の実施例１を示す、引戸障子を屋内側から見た略正面図。
【図２】一部を省略して示す、図１の拡大Ａ−Ａ断面図。
【図３】図２の右端部拡大図。
【図４】同左端部拡大図。
【図５】図１の拡大Ｂ−Ｂ断面図。
【図６】図５の下端部拡大図。
【図７】カバー帯と係止側ブラケットとのガラス障子への組み付け状態を表す為に、図３と同方向から見た図。
【図８】図７の下方から見た図。
【図９】係止側ブラケットを取り出して図８と同方向から見た側面図。
【図１０】同じく平面図。
【図１１】図９の左方から見た図。
【図１２】受ブラケットを取り出して図８と同方向から見た側面図。
【図１３】同じく平面図。
【図１４】図１２の左方から見た図。
【図１５】同じく右方から見た図。
【図１６】同じく底面図。
【図１７】図１２のＣ−Ｃ断面図。
【図１８】カバー帯と係止側ブラケットとを取り出して図８と同方向から見た図。
【図１９】カバー帯と係止側ブラケットとを取り出して結合する以前の状態を示す、図１８と同様の図。
【図２０】ガラス障子下部の排水装置を組み立てた状態で図８と同方向から見た側面図。
【図２１】同じく平面図。
【図２２】図２０の右方から見た図。
【図２３】ガイドブロックを設けた窓枠下隅角部の略斜視図。
【符号の説明】
【００５０】
１    窓枠
２ａ、２ｂ  ガラス障子
３    上枠
４    下枠
５ａ、５ｂ  竪枠
６ａ、６ｂ  上框
７ａ、７ｂ  下框
８ａ、８ｂ  召し合わせ框
９ａ、９ｂ  突き合わせ框
１０ａ、１０ｂ  ガラスパネル
１１ａ、１１ｂ  上部案内レール
１２ａ、１２ｂ  ガイドブロック
１３ａ、１３ｂ  ガイド溝
１４ａ、１４ｂ  下部案内レール
１５ａ、１５ｂ  凹部
１６ａ、１６ｂ  戸車
１７ａ、１７ｂ  凹溝
１８    屋外端突条
１９    中央突条
２０ａ、２０ｂ  ブラケット
２１    屋内端突条
２２ａ、２２ｂ  屋内側壁
２３ａ、２３ｂ  垂下壁部
２４ａ、２４ｂ、２４ｃ、２４ｄ  カバー帯
２５ａ、２５ｂ  ガイド溝
２６ａ、２６ｂ  ガイド部材
２７  シールリップ
２８    係止側ブラケット
２９    取付基部
３０    係止部
３１    取付板部
３２    脚部
３３    受ブラケット
３４    係止切り欠き部
３５    折れ曲がり鉤部
３６    摘み部
３７    結合金具
３８    抑え部
３９    側壁部
４０    空間
４１    取り外しブラケット
４２    第一板部
４３    第二板部
４４    タッピング溝
４５    タッピングねじ
４６    水平方向板部
４７    透孔
４８    戸車用フレーム
４９    ねじ
５０    調節ねじ
５１    頭部
５２    第一通孔
５３    第二通孔
５４    ドライバ
５５    本体部分
５６    遮断壁部
５７    第三通孔
５８    周壁部
５９    薄板
６０    スリット
６１    排水路
６２    傾斜面
６３    ひれ状部
６４    補助垂下壁部
６５ａ、６５ｂ  ガイドブラケット
６６ａ、６６ｂ、６６ｃ、６６ｄ  収納部
６７ａ、６７ｂ  竪框本体
６８ａ、６８ｂ  内側ブラケット
６９    ライナ部材
７０    空間
７１    座板
【図１】
2005232871.tif 000003
【図２】
2005232871.tif 000004
【図３】
2005232871.tif 000005
【図４】
2005232871.tif 000006
【図５】
2005232871.tif 000007
【図６】
2005232871.tif 000008
【図７】
2005232871.tif 000009
【図８】
2005232871.tif 000010
【図９】
2005232871.tif 000011
【図１０】
2005232871.tif 000012
【図１１】
2005232871.tif 000013
【図１２】
2005232871.tif 000014
【図１３】
2005232871.tif 000015
【図１４】
2005232871.tif 000016
【図１５】
2005232871.tif 000017
【図１６】
2005232871.tif 000018
【図１７】
2005232871.tif 000019
【図１８】
2005232871.tif 000020
【図１９】
2005232871.tif 000021
【図２０】
2005232871.tif 000022
【図２１】
2005232871.tif 000023
【図２２】
2005232871.tif 000024
【図２３】
2005232871.tif 000025